(57)【特許請求の範囲】
【請求項１】
レールを係止するように囲むようになっており、スリットの各側に突出する脚部（３）（４）が設けられたスリット付きリング部材（１）（１０１）（２０１）と、脚部を共にクランプして、リング部材をレールに係合するように係止するクランプ手段（１４）（１５）とを含み、リング部材（１）（１０１）（２０１）は、プラスチックから一体成形されており、スリットを通してレール（１３）を嵌合しうるように広げることができるような可撓性を有し、更に第１脚部（３）を通して支持構造体に本装置を固定するための締結手段を更に含む、レール（１３）を、支持構造体例えば壁に固定するための装置であって、
第１脚部（３）には、第２脚部（４）が嵌合される第１リセス（１０）が設けられていることを特徴とする、レールを支持構造体に固定するための装置。
【請求項２】
第１脚部（３）に軸方向孔（２０）が設けられており、この孔が、脚部の外側端面（２１）に開口し、かつこの孔に、ネジ（２３）を含む締結手段が嵌合されるようになっていることを特徴とする、請求項１記載の装置。
【請求項３】
締結手段が、軸方向孔（２０）に隣接して位置するネジを含むことを特徴とする、請求項２記載の装置。
【請求項４】
第１リセス（１０）よりも脚部の外側端部（２１）により近い方の第１脚部（３）の側に、第２リセス（１８）が設けられており、この第２リセスに、ネジヘッドまたはナットが嵌合され、かつこの第２リセスは、軸方向孔（２０）と連通し、第２リセス（１８）内の軸方向孔の開口部のまわりに、ネジヘッドまたはナットのための当接面（１９）が設けられていることを特徴とする、請求項１記載の装置。
【請求項５】
第１脚部（３）の同じ側にリセス（１０）（１８）が設けられ、かつ一方のリセスが他方のリセスまで軸方向に続いていることを特徴とする、請求項１または４記載の装置。
【請求項６】
六角ヘッドネジのヘッド、または六角ナットの回転を防止するための内側表面（３０）（３１）が、第２リセス（１８）に設けられていることを特徴とする、請求項４または５記載の装置。
【請求項７】
脚部（３）（４）が、共にほぼ円筒形の外形を有し、前記脚部のまわりに、スリーブ（２）（１０２）（２０２）が枢着され、このスリーブの壁に、開口部（２９）が設けられ、脚部（４）のうちの１つが、この開口部（２９）を貫通できるようになっていることを特徴とする、前記請求項のいずれかに記載の装置。
【請求項８】
第１脚部（３）の外側端部（２１）に固定されるフランジ部材（４０）を更に含み、このフランジ部材には、このフランジ部材を締結して、本装置を支持構造体に締結するためのネジのためのネジ孔（４４）が設けられていることを特徴とする、前記請求項のいずれかに記載の装置。
【請求項９】
フランジ部材がほぼ回転対称形状であり、ピッチ円上に配置されたネジ孔（４４）がフランジと同心状であり、フランジ部材上に環状カバー（４１）が枢着され、このカバーが、少なくともネジ孔（４４）をカバーし、かつこのカバーに、ネジのヘッドが貫通できるような大きさの開口部（５２）が設けられていることを特徴とする、請求項８記載の装置。
【発明の詳細な説明】
技術分野
本発明は、支持構造体、例えば壁に、バーおよびレール、例えば手摺り等を固定するための装置に関する。本発明の代表的な応用例としては、年長者用の家屋内、および一般的な居住用の家屋内の例えば玄関廊下および浴室において、手摺りを構造物に固定することが挙げられる。
より詳細には、本発明は、レールを係止するように囲んでおり、スリットの各側に突出する脚部が設けられたスリット付きリング部材と、脚部を共にクランプし、もって、リング部材をレールに係合するよう係止するクランプ手段とを含み、リング部材は、プラスチックから一体成形されており、スリットを通してレールを嵌合するように広げることができるような可撓性を有し、更に第１脚部を通して、支持構造体に本装置を固定するための締結手段を含むことからなる支持構造体、例えば壁にレールを固定するための装置に関する。
第１脚部（３）には、第２脚部（４）が嵌合される第１リセス（１０）が設けられていることを特徴とする。
背景技術
上記タイプの装置は、英国特許第1,261,202号およびスエーデン国特許公開第94704号公報から公知である。
また、ドイツ国特許第3604326号に記載の発明では、脚部の外側端部にリセスを設け、このリセスは、ネジとナット接続手段により、形成された横方向クランプ手段により、脚部とリング部材とを共にクランプした時、壁内にねじ込まれるネジのヘッドに係合するようになっている。リング部材の脚部は、レールのまわりにリング部材をクランプするのと同時に、締結部材にクランプされる。これにより装置は、レールの公差に影響され易くなる。更にリング部材は、比較的剛性の高い材料、例えばアルミニウムから製造されているので、リング部材をレールの一端からレールに挿入しなければならない。
更に米国特許第1,096,282号、同第2,896,899号、同第3,023,992号明細書およびフランス国特許公開第1.104.928号公報は、いずれも、壁にレールを固定するための種々のタイプの装置を開示している。しかし、これらの装置のいずれにも、種々の欠点がある。すなわち、比較的多数の部品から構成されており、取り付けが困難であり、用途が極めて限られているという欠点がある。
発明の簡単な説明
本発明の課題は、構造が簡単であり、取り付けが容易であり、かつ用途の広い上記タイプの装置を提供することにある。
本発明の装置は、第１脚部に、第２脚部が嵌合される第１リセスが設けられていることを特徴とする。
これにより、取り付けに関して多くの利点が得られる。例えば、リング部材を広げ、レールをスリットに通してリング部材に挿入し、その後、クランプ手段を締め付けることにより、リング部材にその後接続されるレールおよび締結手段により、レールを支持するのに必要とされる装置のすべてのリング部材を支持構造体に固定できる。
また、リング部材は可撓性であるので、レールを強固に締結するのに別の装置が必要である場合、完成したレールを分解することなく、装置を取り付けることができる。
最後に、本装置は極めて簡単な構造であり、リング部材を拡大した状態で射出成形することにより、合理的に大量生産できる。これに関連し、リング部材を開放位置において成形した直後、このリング部材を、レールと係合した状態とほぼ対応する状態とすることは有利であることに留意すべきである。
リング部材は、脚がほぼ互いに垂直となるように広げることができるような可撓性を有することが好ましい。このようにすると、固定されたレールを支持する２つの装置の間に、その後、別の装置を取り付けることが容易となる。
本発明の特に簡単な実施例では、第１脚部に軸方向孔が設けられており、この孔は、脚部の外側端面内に開口し、この孔に、ネジを含む締結手段が嵌合されるようになっている。このネジは、脚部の外側端部と反対側に位置する端部から軸方向孔に挿入される。このようにして、ネジを壁にねじ込むことにより、本装置は壁に取り付けられる。
本発明の第２実施例では、締結手段は、軸方向孔に隣接して位置するネジを含んでいる。このようにして、突出したねじ切り部分を有するネジを壁内にねじ込み、軸方向孔と隣接するネジをねじ切り部分と係合させることにより、本装置を壁に締結できる。前記部材を回転させることにより、壁に本装置のリング部材を固定しうる。
また本発明によれば、第１リセスよりも、脚部の外側端部により近い方の第１脚部の側に、第２リセスが設けられており、この第２リセスに、ネジヘッドまたはナットが嵌合され、この第２リセスは、軸方向孔と連通し、第２リセス内の軸方向孔の開口部まわりに、ネジヘッドまたはナットのための当接面が設けられている。
また本発明によれば、脚部と同じ側に、２つのリセスを設けることができ、一方のリセスは、他方のリセスまで軸方向に続いている。締結手段を、六角ソケットヘッドネジから形成すると、リング部材が開放状態にある時に、アーレンキーをネジの六角ソケットに係合させるよう、ネジをリセスに軸方向に貫通できるので、本発明のこの実施例は特に有利である。
また、本発明によれば、六角ヘッドネジのヘッド、または六角ナットの回転を防止するための内側表面を第２リセスに設けることができる。六角ソケットネジのヘッドを、同じサイズの六角ヘッドネジのヘッドに係合し、対応するナットにも係合できるので、本発明のこの実施例によると、締結手段を選択する上での可能性を大きくすることができる。
また本発明によれば、脚部は、ほぼ円筒形の外形を有することができる。特に脚部のうちの１つを、ほぼ円筒形の外形を有するものとすることができる。前記脚部のまわりに、カバースリーブを枢着することができる。このスリーブには開口部が設けられ、この開口部によって、脚部のうちの１つを、この開口部へ貫通させることができる。第２脚部を第１脚部内のリセス内に嵌合する時、リセスおよびそこに嵌合される脚部は、スリーブを回転することにより見えなくすることができるので、本発明のこの実施例は特に有利である。
リセス内に挿入されるプラグの代わりに、リセスを隠すために、枢動スリーブを使用すると、プラグと異なり、ゆるくなっても枢動スリーブは失われることはなく、更に意図しない除去を防止するように固定されるという利点が得られる。
また本発明によれば、本装置は、第１脚部の外側端部に固定されるフランジ部材を含み、このフランジ部材には、このフランジ部材を締結し、もって本装置を支持構造体に締結するためのネジのためのネジ孔が設けられる。この本実施例によると、フランジ部材により、支持構造体への特に信頼性の高い締結が得られる。
最後に本発明によれば、フランジ部材がほぼ回転対称形状であり、ピッチ円上に配置されたネジ孔はフランジと同心状であり、フランジ部材上に環状カバーが枢着され、このカバーは、少なくともネジ孔をカバーし、このカバーにネジのヘッドが貫通できるような大きさの開口部が設けることができる。ネジを取り付ける際に、ネジを取り付ける孔に整合するよう、カバーの開口部を回転する。ネジのすべての取り付けが完了すれば、孔から離間するように開口部を回転させて、孔をカバーする。従来のカバー手段と比較して、このような環状カバーは、脚部内のリセスをカバーするためのスリーブに関し、上記のような利点を有する。
【図面の簡単な説明】
以下、添付図面を参照して、本発明を詳細に説明する。
図１は、本発明の装置の第１実施例の分解斜視図である。
図２は、壁にレールを固定するのに使用される、図１に示した装置の平面図である。
図３は、図２のＩＩＩ−ＩＩＩ線に沿う断面図である。
図４は、図１〜図３に示す装置におけるリング部材が成形された状態にある、図３と対応する断面図である。
図５は、本発明の装置の第２実施例の分解斜視図である。
図６は、本発明の装置の第３実施例の分解斜視図である。
発明を実施するための最良の態様
図１〜図４に示す本発明の装置の実施例は、スリットが設けられたリング部材１と、円筒形スリーブ２とから成っている。リング部材１は、図１〜図４に示す形状となるように、プラスチックを射出成形したものであり、図１〜図４に示す形状では、比較的幅広のスリットが設けられている。
リング部材１には、スリットの一方の側に外側へ突出する第１の脚部３が設けられ、かつスリットの他方の側に外側へ突出する第２の脚部４が設けられている。外側へ突出する第２の脚部４には、ヘッド６まで延びるシャンク５が設けられており、シャンクとヘッドとの間には、２つのガイド面７、８が形成されている。このヘッド６には、貫通皿孔９が設けられている。
外側へ突出する第１の脚部３は、ほぼ円筒形の外形を有し、この第１の脚部の、第２の脚部４に対向する側には、第１のリセス１０が設けられている。このリセス１０は、スリットに向かって開口し、第２の脚部４が嵌合されるようになっている。このリセス１０には、互いに対向するガイド面１１、１２が設けられており、脚部を共に押圧して、図２および図３に示す状態とし、リング部材がレールまたはチューブ１３をほぼ囲む状態となった時、これら対向するガイド面１１、１２は、第２の脚部のガイド面８、７と協働するようになっている。
皿孔９を貫通し、第１脚部３の外側面に設けられた皿孔１７に嵌合されたナット１５と係合する六角ソケットネジ１４により、図示のようなレールを係止して囲む位置に、リング部材１が係止される。リング部材がレールを係止する状態では、スリットは比較的狭くなっている。
第１リセス１０は、第２リセス１８まで続き、第２リセスの第２脚部４の方を向く第１脚部３の側で開口している。第２リセス１８は、うね部１９を越えて、軸方向孔２０まで延び、第１脚部３の平らな外側表面２１に開口している。第２リセス１８には、内側の六角ヘッドおよびシャンク２４を有するネジ２３のヘッド２２が嵌合されるようになっている。
ネジ２３は、軸方向孔２０を貫通し、壁２８内の孔２７内に設けられた膨張ブッシング２５と係合する。第２リセス１８と軸方向孔２０との間のうね部１９は、ネジのヘッド２２に対する当接面として働く。断面図では軸方向孔２０は細長く、第１の脚部３側にある第２のリセス１８の開口部の方向の寸法が最も大きく、端面２１に向かって次第に寸法が大きくなっている。その結果、軸方向孔２０およびリセス１８内へのネジ２３の挿入が容易となっている。ネジ２３は、アーレンキーによって締結される。
リング部材１は、プラスチックを射出成形することにより製造され、スリットを通してチューブ１３を嵌合するように、広げることができるような可撓性を有する。すなわち図１および図４に示す成形位置に対して広げるだけでなく、図２および図３に示すような係止位置にクランプし、リング部材をチューブ１３に係合できるような可撓性を有する。
図４内の点線で示される位置へリング部材１を広げ、リング部材１をチューブ１３に係合し、第１脚部３を、支持構造体の表面に対して垂直にすることができるようにすることが特に好ましい。このようにすると、先に固定したチューブ１３を支持するこれら２つの装置の間に、別の装置を取り付けることが可能となる。
円筒形スリーブ２は、第１脚部３を囲むようになっており、円筒形スリーブ２の一端にリング部材１の脚部３、４を押し込み、共にクランプした時、第２脚部４が貫通できるような大きさの開口部２９が設けられている。２つの脚部を共にクランプすると、スリーブ２の開口部２９をリセス１０から離間するように回転させ、スリーブ２の壁でリセスをカバーしうる。
最後に、第２リセス１８には、２つの対向する側面３０、３１が設けられており、これらの側面は、ネジ２３と同じ大きさの六角ヘッドネジ、すなわちナットの平面を横断する幅とほぼ対応する長さに離間している。これにより、六角ヘッドネジすなわちナットは、第２リセス１８内に係止され、回転しないようにすることができる。スリーブ２は射出成形されたプラスチックから成っている。
第１脚部３にスリーブ２を配置し、次にネジ２３をねじ込んで、リング部材１を壁２８に取り付けることにより、図１〜図４に示す装置を取り付ける。従って、リング部材の可撓性が大きくなっており、スリットを通してリング部材にチューブを嵌合できるように、リング部材を広げることができる。ネジ１４をナット１５にねじ込むことにより、リング部材を押圧し、チューブ１３に係合する。
最後に、スリーブ２を回転させて、第１脚部３内のリセス１０および１８をカバーする。
図５に示す本発明の装置の実施例は、リング部材１０１と、スリーブ１０２と、フランジ部材４０と、フランジ部材４０のための環状カバー４１とを含んでいる。このリング部材１０１は、図１〜図４を参照して説明したリング部材１とほぼ対応しているが、端面２１から軸方向に延長する４つの円筒形の突起（図示せず）を更に含む点が異なっている。
ネジ２３の代わりに、リセス１８にはナット４２が嵌合され、リセス１８の２つの対向する側面３０および３１により回転しないようになっている。他のすべての点で、リング部材１０１はリング部材１と同一であるので、これ以上説明しない。スリーブ２と全く同一のスリーブ２０２についても同様である。
フランジ部材１４０は、ほぼ円形のディスク状となっており、わずかに円錐形の上方表面４３を有し、この表面４３に、４つの楕円形皿ネジ孔４４が設けられている。これらのネジ孔は、１つの円周上に等距離で離間している。同一の円周上にて、これらのネジ孔のうちの２つの間に、突出する楕円のノブ４５が設けられており、楕円孔４４の円よりも直径の小さい円周上に、８つの円形孔４６が等距離に設けられている。
これらの孔の内部において、フランジ部材には、スリーブ１０２の外径に対応する径の円形リセス４７が設けられている。リセス４７の底部において、円周上に等間隔で８つの円形孔４８が設けられている。円形孔４８の直径は、リング部材１０１の外側端面２１の円形突起の直径と対応し、円形孔４８と同じ円周上に突起が配置され、各第２の孔と対応して離間している。これらの突起は、フランジ部材４０に対するリング部材１０１の回転角位置を決定するよう、円形孔４８に係合するようになっている。
最後に、フランジ部材４０には、この部材の背面５０に皿孔とした中心貫通ボア４９が設けられており、皿形孔ヘッドを有するネジ５１が、このボア４９を貫通し、リング部材３内のナット４２に係合している。
フランジ部材４０の外側面をカバーするよう、環状カバー４１が形成されている。このカバー４１には、長円開口部５２が設けられており、この開口部は、フランジ部材４０上のノブ４５と同じ形状となっており、このノブ４５と同じピッチ円上に配置されている。更にカバー４１は、スリーブ１０２の外径に対応する直径の中心孔４３を有する。
最後に、カバー４１には、後方を向く突起５３が設けられ、この突起５３は、フランジ部材４０内の孔４６に係合する大きさで、かつそれと同様に配置されている。孔４６ａ内に後方を向く突起５３が嵌合されると、フランジ部材４０上のノブ４５は、カバー４１の開口部５２内に嵌合され、カバーは、フランジ部材４０上のカバー位置に係止され、孔４４、４６はカバーされる。
図６に示す本発明の装置の実施例では、２つのチューブを相互に接続し、いわゆるＴ字形アセンブリを形成するようになっている。この装置は、リング部材２０１と、スリーブ２０２と、拡大部材４０とを含んでいる。リング部材２０１は、リング部材１とほぼ対応しているので、リング部材１０１のように、４つの円形突起が設けられている。これらの突起は、端面２１から延び、図５を参照して説明したリング部材１０１上の突起と同じ態様に配置されている。
これに関連し、装置をチューブの端部に挿入した時に、装置を締結するべきチューブの内面に当接して、レールに対して整合するようになっている突起が配置されていることに留意すべきである。更にリング部材２０１の第１脚部２０３は、リング部材１の第１脚部３よりも若干短く、端面２１と当節面１９との間の距離が短縮されている。その他の点に関し、リング部材２０１は、リング部材１および１０１に対応している。リング部材２０１は、第１チューブを囲み、これを係止するようになっている。
スリーブ２０２には、リング部材２０１の第１脚部２０３を囲むようになっている円筒形内側表面６１が設けられ、この内側表面６１は、第１の円筒形内側表面６１よりも直径の大きい第２の短い円筒形内側表面６２まで続いている。前記第２の表面６２は、第２チューブの外側端部を囲むようになっている。スリーブ２０２の外側表面６３には、第２の短い円筒形内側表面６２から第１の内側円筒形表面６１の外側端部に向かうテーパが付いている。
膨張部材６０は、長手方向のスリット６５が設けられたスリット付きの膨張可能な外側ブッシング６４と、円筒形外側表面７４および若干円錐形の内側表面７５を有する内側ブッシングとを含み、円錐形内側表面７５には環状の溝が設けられている。内側ブッシングは、外側ブッシング６４内に嵌合されるようになっており、２つの半分割ブッシング６６、６７から成り、これら半分割ブッシングは、外側ブッシング６４の内側表面７５とほぼ同じテーパ角の、若干円錐形の外側表面６８を含共に構成する。
半分割ブッシング６７の円錐形表面には、外側ブッシングのスリット６５に嵌合しうるノブ６９が設けられている。従って、２つのブッシングが相互に回転することが防止される。半分割ブッシング６６、６７の各々に設けられたリセス７１に、ナット７０が回転しないように固定され、係止されている。
膨張部材６０を第２チューブに挿入し、装置を組み立てた状態において、ネジ２２をナット７０に係合することにより、内側ブッシングをリング部材２０１側に移動させ、外側ブッシング６４を膨張させ、第２チューブの内側表面に係合させる。
【図１】
0003738398.tif 000002
【図２】
0003738398.tif 000003
【図３】
0003738398.tif 000004
【図４】
0003738398.tif 000005
【図５】
0003738398.tif 000006
【図６】
0003738398.tif 000007